(57)【要約】【課題】コネクタハウジングへのシール部材充填時における端子挿入孔からのシール部材の漏れが抑えられるピン端子と、そのようなピン端子を備えたコネクタと、を提供する。【解決手段】ピン端子１が、予めメッキ処理が施された金属線材から切り出され、端子挿入孔１５への圧入時には、圧入方向Ｄ１と交差する第１方向Ｄ２について端子挿入孔１５の内壁面との間に間隙Ｓ１が開いた状態で端子挿入孔１４を貫通する端子本体２１と、端子本体２１の中途から、圧入方向Ｄ１及び第１方向Ｄ２の双方と交差する第２方向Ｄ３に突出して、圧入時に内壁面に食い込む食込み部２２と、端子本体２１における、圧入方向Ｄ１について食込み部２２よりも後方側で、第１方向Ｄ２について、端子本体２１の他の位置の幅よりも幅広に形成されて、圧入時に端子挿入孔１５の圧入口１５３において間隙Ｓ１の少なくとも一部を塞ぐ閉塞部２３と、を備えたことを特徴としている。【選択図】図２
2018037140.tif 000002
【特許請求の範囲】
【請求項１】
コネクタハウジングにおける端子挿入孔に圧入口から圧入されるピン端子であって、
予めメッキ処理が施された金属線材から切り出され、前記端子挿入孔への圧入時には、圧入方向と交差する第１方向について前記端子挿入孔の内壁面との間に間隙が開いた状態で当該端子挿入孔を貫通する端子本体と、
前記端子本体の中途から、前記圧入方向及び前記第１方向の双方と交差する第２方向に突出して、前記圧入時に前記内壁面に食い込む食込み部と、
前記端子本体における、前記圧入方向について前記食込み部よりも後方側で、前記第１方向について、前記端子本体の他の位置の幅よりも幅広に形成されて、前記圧入時に前記圧入口において前記間隙の少なくとも一部を塞ぐ閉塞部と、
を備えたことを特徴とするピン端子。
【請求項２】
前記圧入口が、前記圧入方向へと前記第１方向の間隔が狭まるテーパ形状を有し、
前記閉塞部における前記圧入方向の前方側が、前記圧入口の前記テーパ形状に嵌合するテーパ形状を有することを特徴とする請求項１に記載のピン端子。
【請求項３】
前記端子挿入孔が角孔であり、
前記端子本体が、前記金属線材としての角線材から切り出された角柱形状を有し、前記圧入時には、その四周面のうち一対の平行面に直交する幅方向を前記第１方向として、当該第１方向について、前記内壁面のうち前記一対の平行面それぞれに対向する対向面との間に前記間隙が開いた状態で前記端子挿入孔を貫通し、
前記食込み部が、前記四周面のうち前記一対の平行面以外の他の一対の平行面に直交する幅方向を前記第２方向として突出し、前記内壁面のうち当該他の一対の平行面それぞれに対向する対向面に食い込み、
前記閉塞部が、当該第１方向について幅広に形成されていることを特徴とする請求項１又は２に記載のピン端子。
【請求項４】
前記食込み部が、前記圧入方向に複数配列して形成されていることを特徴とする請求項１〜３のうち何れか一項に記載のピン端子。
【請求項５】
端子挿入孔が設けられたコネクタハウジングと、前記端子挿入孔に圧入されたピン端子と、を備えたコネクタであって、
前記ピン端子が、請求項１〜４のうち何れか一項に記載のピン端子であることを特徴とするコネクタ。
【発明の詳細な説明】
【技術分野】
【０００１】
本発明は、コネクタハウジングにおける端子挿入孔に圧入されるピン端子と、そのようなピン端子を備えたコネクタと、に関するものである。
【背景技術】
【０００２】
従来、コネクタに用いられるピン端子として、設備面でコストが嵩みがちなインサート成形に比べて比較的安価に取付け可能なものとして、コネクタハウジングの端子挿入孔に圧入されるピン端子が知られている（例えば、特許文献１又は特許文献２参照。）。
【０００３】
特許文献１に記載のピン端子は、基板用コネクタに用いられるもので、特許文献２に記載のピン端子は、トランスミッション内外の電気的な接続のための中継コネクタに用いられるものである。特許文献２の例では、トランスミッションからのオイル漏れ防止のために中継コネクタに高いシール性が求められ、ピン端子の圧入後にコネクタハウジングにシール部材が充填されて端子挿入孔が塞がれる。
【先行技術文献】
【特許文献】
【０００４】
【特許文献１】特開２０１１−１９８５９４号公報
【特許文献２】特開２０００−１３３３７１号公報
【発明の概要】
【発明が解決しようとする課題】
【０００５】
ところで、樹脂製のコネクタハウジングにおける端子挿入孔への金属製のピン端子の圧入抵抗を抑えて圧入の際に生じる樹脂の削りくずの発生を抑えるために、端子挿入孔が、ピン端子の外周面の一部との間に間隙が開くように形成されることがある。この場合、特許文献２の例のようにコネクタハウジングにシール部材が充填されるときに、硬化前のシール部材が上記の間隙から漏れる場合がある。このように漏れたシール材がピン端子における、相手側端子との接続箇所に付着すると電気的な接続性能の低下を招く恐れがあり、また、シール材の漏れにより端子挿入孔におけるシール性能の低下を招く恐れもある。
【０００６】
従って、本発明は、上記のような課題に着目し、コネクタハウジングへのシール部材充填時における端子挿入孔からのシール部材の漏れが抑えられるピン端子と、そのようなピン端子を備えたコネクタと、を提供することを目的とする。
【課題を解決するための手段】
【０００７】
上記課題を解決するために、本発明のピン端子は、コネクタハウジングにおける端子挿入孔に圧入口から圧入されるピン端子であって、予めメッキ処理が施された金属線材から切り出され、前記端子挿入孔への圧入時には、圧入方向と交差する第１方向について前記端子挿入孔の内壁面との間に間隙が開いた状態で当該端子挿入孔を貫通する端子本体と、前記端子本体の中途から、前記圧入方向及び前記第１方向の双方と交差する第２方向に突出して、前記圧入時に前記内壁面に食い込む食込み部と、前記端子本体における、前記圧入方向について前記食込み部よりも後方側で、前記第１方向について、前記端子本体の他の位置の幅よりも幅広に形成されて、前記圧入時に前記圧入口において前記間隙の少なくとも一部を塞ぐ閉塞部と、を備えたことを特徴としている。
【０００８】
本発明のピン端子は、食込み部の端子挿入孔の内壁面への食い込みにより、端子挿入孔に良好に圧入保持される。このとき、端子挿入孔の内壁面と端子本体との第１方向についての間隙により、圧入時の削りくずの発生が抑えられる。そして、本発明のピン端子によれば、圧入時には、端子挿入孔の圧入口において前記間隙の少なくとも一部が閉塞部によって塞がれる。これにより、コネクタハウジングへのシール部材充填時における端子挿入孔からのシール部材の漏れを抑えることができる。
【０００９】
ここで、本発明のピン端子において、前記圧入口が、前記圧入方向へと前記第１方向の間隔が狭まるテーパ形状を有し、前記閉塞部における前記圧入方向の前方側が、前記圧入口の前記テーパ形状に嵌合するテーパ形状を有することが好適である。
【００１０】
この好適なピン端子によれば、端子挿入孔の圧入口が、そのテーパ形状の深さ分に亘って閉塞部によって塞がれるので、シール部材の漏れを一層抑えることができる。また、この好適なピン端子によれば、端子挿入孔の圧入口のテーパ形状に嵌合する閉塞部のテーパ形状により、圧入時に、端子挿入孔に対してピン端子の傾き等を抑えて高精度で位置決めすることができる。
【００１１】
また、本発明のピン端子は、前記端子挿入孔が角孔であり、前記端子本体が、前記金属線材としての角線材から切り出された角柱形状を有し、前記圧入時には、その四周面のうち一対の平行面に直交する幅方向を前記第１方向として、当該第１方向について、前記内壁面のうち前記一対の平行面それぞれに対向する対向面との間に前記間隙が開いた状態で前記端子挿入孔を貫通し、前記食込み部が、前記四周面のうち前記一対の平行面以外の他の一対の平行面に直交する幅方向を前記第２方向として突出し、前記内壁面のうち当該他の一対の平行面それぞれに対向する対向面に食い込み、前記閉塞部が、当該第１方向について幅広に形成されていることも好適である。
【００１２】
この好適なピン端子では、端子挿入孔の形状と端子本体の形状とが互いに対応した形状となっている。そして、食込み部が、上記の他の一対の平行面それぞれに対向する対向面に食い込むことから、当該対向面に食込み部が略垂直に食込み、圧入されたときのピン端子の保持強度を高めることができる。また、閉塞部が、互いに対向する平面間の間隙を、その対向方向に沿った第１方向について幅広に形成されて塞ぐことから、例えば曲面間の間隙を塞ぐ場合等と比較して間隙を広範囲に亘って塞ぐことができ、シール部材の漏れを一層抑えることができる。
【００１３】
また、本発明のピン端子において、前記食込み部が、前記圧入方向に複数配列して形成されていることが好適である。
【００１４】
この好適なピン端子によれば、複数の食込み部により、端子挿入孔に高い強度で一層良好に圧入保持される。また、この好適なピン端子によれば、複数の食込み部が圧入方向に配列されているので、端子挿入孔に対してピン端子の傾き等を抑えて圧入することができる。
【００１５】
また、上記課題を解決するために、本発明のコネクタは、端子挿入孔が設けられたコネクタハウジングと、前記端子挿入孔に圧入されたピン端子と、を備えたコネクタであって、前記ピン端子が、上述した本発明のピン端子であることを特徴としている。
【００１６】
本発明のコネクタによれば、上述した本発明のピン端子を備えているので、コネクタハウジングへのシール部材充填時における端子挿入孔からのシール部材の漏れを抑えることができる。
【発明の効果】
【００１７】
本発明によれば、コネクタハウジングへのシール部材充填時における端子挿入孔からのシール部材の漏れを抑えることができる。
【図面の簡単な説明】
【００１８】
【図１】本発明の一実施形態にかかるコネクタを示す外観斜視図である。
【図２】図１に示されているコネクタの内部構造を、相手側コネクタとの接続方向に沿った断面で示す図である。
【図３】図１及び図２に示されているピン端子を示す斜視図である。
【図４】コネクタにおける図２中のＡ−Ａ断面を示す図である。
【図５】図１〜図４に示されているピン端子及びコネクタに対する第１比較例を、図４と同様の断面図で示す図である。
【図６】図１〜図４に示されているピン端子及びコネクタに対する第２比較例を、図４と同様の断面図で示す図である。
【発明を実施するための形態】
【００１９】
以下、本発明のピン端子及びコネクタの一実施形態について説明する。
【００２０】
図１は、本発明の一実施形態にかかるコネクタを示す外観斜視図である。図２は、図１に示されているコネクタの内部構造を、相手側コネクタとの接続方向に沿った断面で示す図である。
【００２１】
図１及び図２に示されているコネクタ１は、トランスミッション内外の電気的な接続のための中継コネクタである。このコネクタ１は、複数の端子挿入孔１５が設けられたコネクタハウジング１０と、各端子挿入孔１５に１本ずつ圧入された複数本のピン端子２０と、を備えている。
【００２２】
コネクタハウジング１０は、樹脂製で略円筒状に形成され、その外周面の軸方向の中途には、シール用のＯリング１１が嵌め込まれている。コネクタハウジング１０の内部は、軸方向の中途で隔離壁１２によって第１嵌合凹部１３と第２嵌合凹部１４とに区画されている。第１嵌合凹部１３及び第２嵌合凹部１４のそれぞれに不図示の相手側コネクタが進入、嵌合する。隔離壁１２には、複数の端子挿入孔１５が軸方向に貫通して設けられている。そして、各端子挿入孔１５にピン端子２０が、第１嵌合凹部１３から第２嵌合凹部１４へと向かう圧入方向Ｄ１に１本ずつ圧入される。また、ピン端子２０の圧入後は、隔離壁１２の第１嵌合凹部１３側の面を覆うようにシール部材１６が充填されて端子挿入孔１５が塞がれる。これにより、中継コネクタとしてのコネクタ１に高いシール性が付与される。シール部材１６は、熱硬化性の樹脂が用いられ、未硬化状態で充填され、硬化される。
【００２３】
図３は、図１及び図２に示されているピン端子を示す斜視図である。また、図４は、コネクタにおける図２中のＡ−Ａ断面を示す図である。
【００２４】
ピン端子２０は、長尺の端子本体２１と、その中途に設けられた食込み部２２と、圧入方向Ｄ１について食込み部２３よりも後方側に設けられた閉塞部２３と、を備えている。
【００２５】
端子本体２１は、予めメッキ処理が施された金属線材から切り出され、両端それぞれが先細り状に加工されたものである。ピン端子２０の端子挿入孔１５への圧入時には、圧入方向Ｄ１と交差する第１方向Ｄ２について、図２中に拡大図で示されているように、端子挿入孔１５の内壁面との間に間隙Ｓ１が開いた状態で端子本体２１が端子挿入孔１５を貫通する。この間隙Ｓ１は、樹脂製のコネクタハウジング１０における端子挿入孔１５への金属製のピン端子２０の圧入抵抗を抑えて圧入の際に生じる樹脂の削りくずの発生を抑える役割を果たす。
【００２６】
ここで、図４中に拡大図で示されているように、端子挿入孔１５は角孔となっている。他方、端子本体２１は、金属線材としての角線材から切り出された角柱形状を有している。ピン端子２０の圧入時には、端子本体２１は、その四周面のうち図中上下に位置する一対の平行面２１１に直交する幅方向を第１方向Ｄ２として端子挿入孔１５を貫通する。そして、当該第１方向Ｄ２について、端子挿入孔１５の内壁面のうち上記の一対の平行面２１１それぞれに対向する対向面１５１との間に間隙Ｓ１が開いた状態となる。一方で、それら一対の平行面２１１以外の他の一対の平行面２１２は、端子挿入孔１５の内壁面のうち他の一対の平行面２１２それぞれに対向する対向面１５２と略接した状態となる。
【００２７】
食込み部２２は、端子本体２１の中途から、圧入方向Ｄ１及び第１方向Ｄ２の双方と交差する第２方向Ｄ３に突出して、ピン端子２０の圧入時には、端子挿入孔１５の内壁面に食い込む。食込み部２２は、端子本体２１の四周面のうち上記の他の一対の平行面２１２に直交する幅方向を第２方向Ｄ３として、各平行面２１２から突出し、圧入時には、端子挿入孔１５の内壁面のうちそれら各平行面２１２と対向する対向面１５２に食い込む。また、本実施形態では、上記の他の一対の平行面２１２それぞれついて２つずつ、合計で４つの食込み部２２が設けられる。また、各平行面２１２では、食込み部２２が、圧入方向Ｄ１に２つ配列して形成されている。各食込み部２２は、端子本体２１における上記の他の一対の平行面２１２それぞれの近傍を、第１方向Ｄ２に圧縮して第２方向Ｄ３に膨出させるプレス加工により形成されている。
【００２８】
閉塞部２３は、端子本体２１における、圧入方向Ｄ１について食込み部２２よりも後方側で、第１方向Ｄ２について、端子本体２１の他の位置の幅よりも幅広に形成された部位である。閉塞部２３は、図２や図４の拡大図で示されているように、ピン端子２０の圧入時には、端子挿入孔１５の圧入口１５３において間隙Ｓ１の少なくとも一部を塞ぐ。また、本実施形態では、端子挿入孔１５の圧入口１５３が、図２の拡大図で示されているように、圧入方向Ｄ１へと第１方向Ｄ２の間隔が狭まるテーパ形状を有している。そして、閉塞部２３における圧入方向Ｄ１の前方側が、圧入口１５３のテーパ形状に嵌合するテーパ形状を有している。閉塞部２３は、端子本体２１における、圧入方向Ｄ１について食込み部２２よりも後方側の位置で、第２方向Ｄ３に圧縮して第１方向Ｄ２に膨出させるプレス加工により形成されている。
【００２９】
食込み部２２及び閉塞部２３のプレス加工は、金属線材からの端子本体２１の切出しに続いて、図３の斜視図に示されているような外観形成の一環として行われる。
【００３０】
図５は、図１〜図４に示されているピン端子及びコネクタに対する第１比較例を、図４と同様の断面図で示す図である。
【００３１】
この第１比較例のコネクタ５では、図１〜図４に示されているピン端子２０とは異なり、予めメッキ処理が施された金属プレートから棒状に打抜き方向Ｄ５１に打ち抜かれたピン端子５２が用いられている。そして、そのピン端子５２が複数本、樹脂製のコネクタハウジング５０とインサート成形により一体成形されている。複数本のピン端子５２は、コネクタハウジング５０における隔離壁５１と一体化している。さらに、この隔離壁５１を覆うように、不図示のシール部材が充填されて、各ピン端子５２と隔離壁５１との境界面の気密性が確保される。
【００３２】
このとき、第１比較例のピン端子５２は、メッキ処理が施された金属プレートから棒状に打ち抜かれたものであることから、打抜き方向Ｄ５１と交差する一対の平行面５２１は、メッキ処理が残ったメッキ面となる。一方で、他の一対の平行面５２２は、内部金属が露出した非メッキ面となる。また、ピン端子５２における図中断面の上方の二隅は打抜きによって生じるダレ面５２３となり、下方の二隅はバリ面５２４となる。
【００３３】
この第１比較例に対し、上述した実施形態では、ピン端子２０が、コネクタハウジング１０における端子挿入孔１５に圧入される。このため、設備面でコストが嵩みがちなインサート成形を採用した第１比較例と比較して、比較的安価にピン端子２０がコネクタハウジング１０に取付けられることとなっている。
【００３４】
また、第１比較例では、ピン端子５２に、打抜き加工に起因する非メッキ面（他の一対の平行面５２２）、ダレ面５２３、及びバリ面５２４が形成され、これらの各面においてシール部材との密着性が不安定となる場合がある。このため、高度なシール性が求められる場合には、上述したインサート成形に先立って、各ピン端子５２に改めてメッキ処理を施す必要がある。これに対し、上述した実施形態では、ピン端子２０が、予めメッキ処理が施された金属線材から切り出された端子本体２１をベースに形成されている。このため、金属線材のメッキ処理が略維持されたままピン端子２０が形成され、また、第１比較例で生じるダレ面やバリ面の形成が無いことから、シール部材１６との密着性について高い安定性が得られる。その結果、実施形態では、高度なシール性が求められる場合でも、ピン端子２０について改めてメッキ処理を行う必要がなく、第１比較例と比較して製造コストを抑えることができる。
【００３５】
図６は、図１〜図４に示されているピン端子及びコネクタに対する第２比較例を、図４と同様の断面図で示す図である。尚、この第２比較例のコネクタ６では、ピン端子６０が上述した閉塞部２３を備えていない点が上述した実施形態のコネクタ１と異なっている。図６では、本実施形態について図示する図４に示されている構成要素と同等な構成要素については図４と同じ符号が付されており、以下では重複説明を省略する。
【００３６】
この第２比較例でも、ピン端子６０は圧入端子であり、予めメッキ処理が施された金属線材から切り出された端子本体２１をベースに形成されているので、第１比較例と比較して製造コストを抑えることができる。
【００３７】
ここで、この第２比較例でも、樹脂製のコネクタハウジング１０の隔離壁１２における端子挿入孔１５の内壁面と端子本体２１との間に間隙Ｓ１が設けられる。これにより、端子挿入孔１５への金属製のピン端子２０の圧入抵抗を抑えて圧入の際に生じる樹脂の削りくずの発生が抑えられる。ただし、この第２比較例では、コネクタハウジング１０にシール部材が充填されるときに、硬化前のシール部材が上記の間隙Ｓ１から漏れる場合がある。このように漏れたシール材がピン端子６０における、相手側端子との接続箇所に付着すると電気的な接続性能の低下を招く恐れがあり、また、シール材の漏れにより端子挿入孔１５におけるシール性能の低下を招く恐れもある。
【００３８】
上述した実施形態のピン端子２０では、まず、食込み部２２の端子挿入孔１５の内壁面への食い込みにより、端子挿入孔１５に良好に圧入保持される。このとき、端子挿入孔１５の内壁面と端子本体２１との第１方向Ｄ２についての間隙Ｓ１により、圧入時の削りくずの発生が抑えられる。そして、本実施形態では、図６に示されている第２比較例とは異なり、圧入時には、端子挿入孔１５の圧入口１５３において間隙Ｓ１の少なくとも一部が閉塞部２３によって塞がれる。これにより、コネクタハウジング１０へのシール部材１６の充填時における端子挿入孔１５からのシール部材１６の漏れを抑えることができる。その結果、第２比較例と比較して、ピン端子２０と相手側端子との電気的な接続性能の向上と、端子挿入孔１５におけるシール性能の向上とが図られることとなっている。
【００３９】
また、本実施形態によれば、端子挿入孔１５の圧入口１５３が、そのテーパ形状の深さ分に亘って閉塞部２３によって塞がれるので、シール部材１６の漏れを一層抑えることができる。また、本実施形態によれば、端子挿入孔１５の圧入口１５３のテーパ形状に嵌合する閉塞部２３のテーパ形状により、圧入時に、端子挿入孔１５に対してピン端子２０の傾き等を抑えて高精度で位置決めすることができる。
【００４０】
また、本実施形態では、端子挿入孔１５の形状と端子本体２１の形状とが互いに対応した形状となっている。そして、食込み部２２が、上記の他の一対の平行面２１２それぞれに対向する対向面１５２に食い込むことから、当該対向面１５２に食込み部２２が略垂直に食込み、圧入されたときのピン端子２０の保持強度を高めることができる。また、閉塞部２３が、互いに対向する平面間の間隙Ｓ１を、その対向方向に沿った第１方向Ｄ２について幅広に形成されて塞ぐこととなる。このため、本実施形態によれば、例えば曲面間の間隙を塞ぐ場合等と比較して間隙Ｓ１を閉塞部２３で広範囲に亘って塞ぐことができ、シール部材１６の漏れを一層抑えることができる。
【００４１】
また、本実施形態では、食込み部２２が、圧入方向Ｄ１に２つずつ配列して形成されている。これにより、端子挿入孔１５に高い強度で一層良好に圧入保持される。また、この好適なピン端子２０によれば、複数の食込み部２２が圧入方向Ｄ１に配列されているので、端子挿入孔１５に対してピン端子２０の傾き等を抑えて圧入することができる。
【００４２】
以上に説明した実施形態は本発明の代表的な形態を示したに過ぎず、本発明は、この実施形態に限定されるものではない。即ち、本発明の骨子を逸脱しない範囲で種々変形して実施することができる。かかる変形によってもなお本発明のピン端子やコネクタの構成を具備する限り、勿論、本発明の範疇に含まれるものである。
【００４３】
例えば、上述した実施形態では、本発明にいうコネクタの一例として、軸方向の両端に相手側コネクタが接続する中継コネクタとしてのコネクタ１が例示されている。しかしながら、本発明にいうコネクタはこれに限るものではなく、例えば一端側にのみ相手側コネクタが接続し、他端側からはワイヤハーネスの電線が延出している、ワイヤハーネスの端部コネクタであってもよい。あるいは、一端側に相手側コネクタが接続し、他端側は基板に取り付けられる基板用コネクタ等であってもよい。また、上述した実施形態では、中継コネクタとしてのコネクタ１において、コネクタハウジング１０にシール部材１６が充填された形態が例示されている。しかしながら、ワイヤハーネスの端部コネクタや基板用コネクタ等でそれ程のシール性を要求されない場合には、シール部材は充填されなくともよい。
【００４４】
例えば、上述した実施形態では、本発明にいうピン端子の一例として、角線材から切り出された角柱形状の端子本体２１を備えたピン端子２０が例示されている。しかしながら、本発明にいうピン端子はこれに限るものではなく、例えば丸線材から切り出された丸棒形状の端子本体を備えたもの等であってもよい。ただし、角線材から切り出された角柱形状の端子本体２１を備えたピン端子２０では、閉塞部２３が、互いに対向する平面間の間隙Ｓ１を、曲面間の間隙を塞ぐ場合等と比較して広範囲に亘って塞ぐことができる点は上述したとおりである。
【符号の説明】
【００４５】
１    コネクタ
１０  コネクタハウジング
１１  Ｏリング
１２  隔離壁
１３  第１嵌合凹部
１４  第２嵌合凹部
１５  端子挿入孔
１６  シール部材
２０  ピン端子
２１  端子本体
２２  食込み部
２３  閉塞部
１５１，１５２  対向面
１５３  圧入口
２１１，２１２  平行面
Ｄ１    圧入方向
Ｄ２    第１方向
Ｄ３    第２方向
Ｓ１    間隙
【図１】
2018037140.tif 000003
【図２】
2018037140.tif 000004
【図３】
2018037140.tif 000005
【図４】
2018037140.tif 000006
【図５】
2018037140.tif 000007
【図６】
2018037140.tif 000008